(57)【特許請求の範囲】
【請求項１】
電柱間に張った、素線の外周に被覆を有する架空電線を分岐させる引き留め具において、
分岐線受け具の一端に軸を設け、当該軸により本線受け具を回転自在に軸支し、上記本線受け具の凸わん曲した把持溝に本線を入れて当該引き留め具を本線に支持し、上記分岐線受け具の他端に分岐線の端部を引き留め、上記本線受け具と分岐線受け具の上記軸支によるヒンジ点を、本線に対して分岐線の反対側に設けたことを特徴とする、架空電線の電柱間分岐用引き留め具。
【発明の詳細な説明】
【０００１】
【発明の属する技術分野】
この発明は、電柱間に張った架空電線を当該箇所で分岐させる分岐線の引き留め具に関するものである。
【０００２】
【従来の技術】
従来、電柱間で架空配電線を分岐させるには、図１２に示すごとく、電柱５０間（図１２では一本の電柱を図示省略）にメッセンジャーワイヤー５１を張り、このメッセンジャーワイヤー５１の途中から分岐用メッセンジャー５２をＴ字型に引き出し、各電線５３は電柱５０箇所でケーブル５４に分岐させてこのケーブル５４を上記メッセンジャーワイヤー５１及び分岐用メッセンジャーワイヤー５２に沿わせて分岐させている。
しかしながら、この様に電柱５０間で分岐する場合メッセンジャーワイヤー５１及び分岐用メッセンジャーワイヤー５２を設けなければならず、分岐作業に手間が係ると同時に構成も複雑となり、コスト高となっている。
【０００３】
そこで、この様な電柱間の分岐がより簡素化し、当該電柱の間であればどこでも分岐でき、分岐作業も簡単に行える分岐線の引き留め構造として、電柱間の架空配電線自体に分岐線引き留め具を支持させて、この引き留め具により分岐線を引き留める、図１３のようなものが考えられる。
この分岐線引き留め具は、本線５５を支持する本線受け具５６とこの本線受け具５６に一端をヒンジ５７により接続した分岐線受け具５８から成り、当該分岐線受け具５８に分岐線５９の一端を引き留めるものである。
【０００４】
【発明が解決しようとする課題】
しかしながら、本線５５に対して分岐線５９の引き止め方向が直角を成している場合は良いが、図示の如く、本線５５に対して分岐線５９が斜めに角度を持って引き留められている場合、分岐線５９にＴなる張力が作用したとき、本線５５にＦ、Ｆ´なる荷重が作用し、バランスが保たれる。この時、分岐線５９の張力方向に角度を有していると、Ａ部にＭなる回転モーメントが作用する。そしてこのままでは長期間には、本線受け具５６と分岐線受け具５８が直線状態の位置に馴染んでいき、本線５５のＢ部及びＣ部に電線の屈曲が生じて、素線及び被覆に悪影響を及ぼす事になる。
【０００５】
この発明は、この様な電柱間の架空配電線自体に分岐線引き留め具を支持させて分岐線を分岐させる分岐線引き留め具において、メッセンジャーワイヤー等を設けず、分岐作業が容易となり、その上長期間安定した状態で分岐線を引き留め、本線等の素線や被覆に悪影響を及ぼさない、分岐線の引き留め具を提供することにより上記課題を解決しようとするものである。
【０００６】
この発明は、電柱間に張った、素線の外周に被覆を有する架空電線を分岐させる引き留め具において、一端が断面コの字型になった分岐線受け具の当該コの字型に本線受け具をヒンジにより回転自在に嵌合した引き留め具を設け、上記本線受け具の凸わん曲した把持溝に本線を入れて当該引き留め具を本線に支持し、上記分岐線受け具の他端に分岐線の端部を引き留め、上記本線受け具と分岐線受け具の上記軸支によるヒンジ点を、本線に対して分岐線の反対側に設けた、架空電線の電柱間分岐用引き留め具とした。
【０００７】
【実施の形態例】
以下この発明の実施の形態例を図に基づいて説明する。
図３乃至図４は、この発明に使用する引き留め具１であり、この引き留め具１は一端に断面コの字型になったコ字型部２ａを有する分岐線受け具２の、当該コ字型部２ａ内に本線受け金具３をボルト軸４により回転自在に設けたものである。この分岐線受け具２の他端は、両側に軸受板２ｂを設け、これら二つの軸受部２ｂ間にわたしたボルト軸５に回転自在に引き留めがいし６を軸支している。このボルト軸５の端部にはナット７を螺着し、さらにナット緩み防止リング８を設けている。また上記分岐線受け具２のコ字型部２ａの両端縁に設けた溝９内にスペーサー支持フック１０を設けている。
【０００８】
図５乃至図７は、上記本線受け具３を示すもので、断面エの字型のがいしから成り、上下板から構成される一側に、本線を入れる把持溝３ａを有し、この把持溝３ａは、図６に示すように、その底部３ｂが適宜の曲率で凸わん曲している。またこの把持溝３ａの反対側の上下板に夫々設けた穴３ｃに、上下の両端を勘合したカラー１１を設けている。従って上記ボルト軸４はその端部を上記分岐線受け具２のコ字型部２ａの上下板にうがった孔を通り、上記本体受け具３のカラー１１内に挿入され、本線受け具３は分岐線受け具２のコ字型部２ａに回転自在に設けられている。
そしてこのボルト軸４の、コ字型部２ａから突出した端部にはナット１２が螺着され、さらにナット緩み防止リング１３が嵌められている。
【０００９】
また図８及び図９は、上記分岐線受け具２のコ字型部２ａに設けたスペーサー支持フック１０の取付け詳細図であり、上記分岐線受け具２のコ字型部２ａの一端の上下縁には浅い溝９を設け、当該浅い溝９と相応する位置の他端の上下縁には深い溝９を設けている。そして図９に示すごとく、このスペーサー支持フック１０は、その中央部をコ字型部２ａ内に入れ、その両端部の突出フック部１０ａを上記深い溝９からコ字型部２ａの外部に突出させて再びコ字型部２ａ内部に戻し、さらにコ字型部２ａ内の上下板の内側をはわせ、これらの先端の鍵型部１０ｂを上記浅い溝９に係止したもので、図１１に示すように、上下に突出した各突出フック部１０ａにスペーサー１４の一端を係止し、上下に位置する他相の分岐線引き留め具（図示省略）に当該スペーサー１４の他端を係止することにより、風等により本線が揺れても各相の分岐線引き留め具１が相互に接近又は接触しない様になっている。
【００１０】
また、この分岐線引き留め具１は図１０及び１１に示すごとく本線１５を、本線受け具３の把持溝３ａに入れて、当該分岐線引き止め具１を本線１５に支持させ、さらに、ラッシングしたバインド線１６の両端を当該本線１５に巻き付け、その中央部を分岐線受け具２のコ字型部２ａ内の本線受け具３のカラー１１外周に通して、当該分岐線引き止め具１が落下しないように支持させる。
【００１１】
そして図１及び２に示すごとく、分岐線受け具２の上記引き留めがいし６の外周に、分岐線１７の一端を把持した巻き付けグリップ１８の基部を巻いて、分岐線１７を引き留める。
この際図１に示すごとく、分岐線１７に張力が作用したとき、本線１５に長手方向の荷重が作用し、バランスが保たれる。この時、本線１５に対して分岐線１７の張力方向に角度を有していても、本線１５の圧縮荷重と分岐線１７の張力はヒンジ点（ボルト軸４）を中心にして夫々独立して作用し、荷重方向に対して影響を及ぼしあわない。
【００１２】
【発明の効果】
この発明は、電柱間の架空配電線自体に分岐線引き留め具を支持させて分岐線を分岐させる分岐線引き留め具であるため、メッセンジャーワイヤー等を設けずに分岐線を引き留めることができ、分岐作業が容易である。また、本線受け具と分岐線受け具のヒンジ点を、本線に対して分岐線の反対側に設けたことにより、本線に対して分岐線の張力方向に角度を有していても、本線の圧縮荷重と分岐線の張力はヒンジ点を中心にして夫々独立して作用し、荷重方向に対して影響を及ぼしあわない。従って、本線のねじりが発生しない。これに加え、本線受け具の把持溝の底部を適当な曲率の凸わん曲としているため、電線の屈曲等、異常な集中荷重の発生を抑え、長期間安定した状態で分岐線を引き留めることができる。
【図面の簡単な説明】
【図１】この発明の実施の形態例の使用状態を示す平面図である。
【図２】この発明の実施の形態例の使用状態を示す一部断面平面図である。
【図３】この発明の実施の形態例に使用する分岐線引き留め具の平面図である。
【図４】この発明の実施の形態例に使用する分岐線引き留め具の側面図である。
【図５】この発明の実施の形態例に使用する分岐線引き留め具の本線受け具の側面図である。
【図６】この発明の実施の形態例に使用する分岐線引き留め具の本線受け具の横断面図である。
【図７】この発明の実施の形態例に使用する分岐線引き留め具の本線受け具の縦断面図である。
【図８】この発明の実施の形態例に使用する分岐線引き留め具のコ字型部に設けたスペーサー支持フックの取付け状態を示す拡大平面図である。
【図９】この発明の実施の形態例に使用する分岐線引き留め具のコ字型部に設けたスペーサー支持フックの取付け状態を示す拡大縦断面図である。
【図１０】この発明の実施の形態例に使用する分岐線引き留め具の本線への取付け状態を示す平面図である。
【図１１】この発明の実施の形態例に使用する分岐線引き留め具の本線への取付け状態を示す側面図である。
【図１２】従来例の分岐構造を示す斜視図である。
【図１３】本線自体に分岐線引き留め具を支持させて分岐線を引き留める例における荷重作用を示す説明図である。
【符号の説明】
１    引き留め具                  ２    分岐線受け具
２ａ  コ字型部                    ２ｂ  軸受
３    本線受け具                  ４    ボルト軸
５    ボルト軸                    ６    引き留めがいし
１０    スペーサー支持フック      １５    本線
１６    バインド線                １７  分岐線
１８    巻き付けグリップ
【図１】
0003934285.tif 000002
【図２】
0003934285.tif 000003
【図３】
0003934285.tif 000004
【図４】
0003934285.tif 000005
【図５】
0003934285.tif 000006
【図６】
0003934285.tif 000007
【図７】
0003934285.tif 000008
【図８】
0003934285.tif 000009
【図９】
0003934285.tif 000010
【図１０】
0003934285.tif 000011
【図１１】
0003934285.tif 000012
【図１２】
0003934285.tif 000013
【図１３】
0003934285.tif 000014